(57)【要約】【課題】シート束を形成する際のユーザビリティを向上させること。【解決手段】上カセット１１４で用紙が不足することにより、又は、大容量給紙トレイ４２、４３、４４でインサートシートが不足することにより、フィニッシャ５００により未完成のシート束が形成されたときに、不足した用紙又はインサートシートに関する情報を記憶するＲＡＭ９０３と、ＲＡＭ９０３に記憶された情報に基づき、未完成のシート束に不足した用紙又はインサートシートを挿入させて完成したシート束を形成する処理を行うように画像形成装置１０、インサート装置３００及びフィニッシャ５００を制御するＣＰＵ９０１と、を備える。【選択図】図２
2015194611.tif 000002
【特許請求の範囲】
【請求項１】
記録材が積載される少なくとも一つの第一の給紙部を有し、前記第一の給紙部から給紙された記録材に画像形成を行う画像形成装置と、
インサートシートが積載される少なくとも一つの第二の給紙部を有し、前記第二の給紙部から給紙されたインサートシートを搬送するインサート装置と、
前記画像形成装置から搬送された記録材と前記インサート装置から搬送されたインサートシートとから、シート束を形成する処理を行う後処理装置と、
を備える画像形成システムであって、
前記第一の給紙部で記録材が不足することにより、又は、前記第二の給紙部でインサートシートが不足することにより、前記後処理装置により未完成のシート束が形成されたときに、不足した記録材又はインサートシートに関する情報を記憶する記憶手段と、
前記記憶手段に記憶された情報に基づき、前記未完成のシート束に前記不足した記録材又はインサートシートを挿入させて完成したシート束を形成する処理を行うように前記画像形成装置、前記インサート装置及び前記後処理装置を制御する制御手段と、
を備えることを特徴とする画像形成システム。
【請求項２】
前記記憶手段に記憶される情報は、前記不足した記録材又はインサートシートの部数情報、枚数情報及び用紙情報であることを特徴とする請求項１に記載の画像形成システム。
【請求項３】
前記記憶手段には、前記第一の給紙部で記録材が不足した場合には、前記画像形成装置によって前記不足した記録材に画像形成を行うための画像データが記憶されることを特徴とする請求項２に記載の画像形成システム。
【請求項４】
前記制御手段は、前記未完成のシート束を含む設定された部数のシート束の形成が終了した後に、前記未完成のシート束を前記第二の給紙部に積載し、前記不足した記録材を前記第一の給紙部に積載し、前記不足したインサートシートを前記未完成のシート束が積載された第二の給紙部とは異なる第二の給紙部に積載するよう報知して、前記未完成のシート束から完成したシート束を形成する処理を行うように制御することを特徴とする請求項１乃至３のいずれか１項に記載の画像形成システム。
【請求項５】
前記制御手段は、前記未完成のシート束から完成したシート束を形成する処理を行っているときに、前記第一の給紙部及び前記第二の給紙部のいずれかで記録材又はインサートシートのいずれかが不足した場合には、前記完成したシート束を形成する処理を中断することを特徴とする請求項１乃至４のいずれか１項に記載の画像形成システム。
【請求項６】
前記制御手段は、前記後処理装置によりシート束にステイプル処理を行う場合に、前記第一の給紙部及び前記第二の給紙部のいずれかで記録材又はインサートシートのいずれかが不足した場合には、シート束を形成する処理を中断することを特徴とする請求項１乃至４のいずれか１項に記載の画像形成システム。
【請求項７】
前記制御手段は、前記後処理装置によりシート束に折り紙処理を行う場合に、前記第一の給紙部及び前記第二の給紙部のいずれかで記録材又はインサートシートのいずれかが不足した場合には、シート束を形成する処理を中断することを特徴とする請求項１乃至４のいずれか１項に記載の画像形成システム。
【請求項８】
前記第一の給紙部に積載された記録材を検知する第一の検知手段と、
前記第二の給紙部に積載されたインサートシートを検知する第二の検知手段と、
を備え、
前記制御手段は、前記第一の検知手段の検知結果に基づき前記第一の給紙部で記録材が不足したと判断し、前記第二の検知手段の検知結果に基づき前記第二の給紙部でインサートシートが不足したと判断することを特徴とする請求項１乃至７のいずれか１項に記載の画像形成システム。
【請求項９】
記録材が積載される少なくとも一つの第一の給紙部を有し、前記第一の給紙部から給紙された記録材に画像形成を行う画像形成装置と、インサートシートが積載される少なくとも一つの第二の給紙部を有し、前記第二の給紙部から給紙されたインサートシートを搬送するインサート装置と、前記画像形成装置から搬送された記録材と前記インサート装置から搬送されたインサートシートとから、シート束を形成する処理を行う後処理装置と、を備える画像形成システムの制御方法であって、
前記第一の給紙部で記録材が不足することにより、又は、前記第二の給紙部でインサートシートが不足することにより、前記後処理装置により未完成のシート束が形成されたときに、不足した記録材又はインサートシートに関する情報を記憶手段に記憶する記憶工程と、
前記記憶手段に記憶された情報に基づき、前記未完成のシート束に前記不足した記録材又はインサートシートを挿入させて完成したシート束を形成する処理を行うように前記画像形成装置、前記インサート装置及び前記後処理装置を制御する制御工程と、
を備えることを特徴とする画像形成システムの制御方法。
【請求項１０】
前記記憶手段に記憶される情報は、前記不足した記録材又はインサートシートの部数情報、枚数情報及び用紙情報であることを特徴とする請求項９に記載の画像形成システムの制御方法。
【請求項１１】
前記記憶手段には、前記第一の給紙部で記録材が不足した場合には、前記画像形成装置によって前記不足した記録材に画像形成を行うための画像データが記憶されることを特徴とする請求項１０に記載の画像形成システムの制御方法。
【請求項１２】
前記未完成のシート束を含む設定された部数のシート束の形成が終了した後に、前記未完成のシート束を前記第二の給紙部に積載し、前記不足した記録材を前記第一の給紙部に積載し、前記不足したインサートシートを前記未完成のシート束が積載された第二の給紙部とは異なる第二の給紙部に積載するよう報知して、前記未完成のシート束から完成したシート束を形成する処理を行うように制御することを特徴とする請求項９乃至１１のいずれか１項に記載の画像形成システムの制御方法。
【請求項１３】
前記未完成のシート束から完成したシート束を形成する処理を行っているときに、前記第一の給紙部及び前記第二の給紙部のいずれかで記録材又はインサートシートのいずれかが不足した場合には、前記完成したシート束を形成する処理を中断することを特徴とする請求項９乃至１２のいずれか１項に記載の画像形成システムの制御方法。
【請求項１４】
前記後処理装置によりシート束にステイプル処理を行う場合に、前記第一の給紙部及び前記第二の給紙部のいずれかで記録材又はインサートシートのいずれかが不足した場合には、シート束を形成する処理を中断することを特徴とする請求項９乃至１２のいずれか１項に記載の画像形成システムの制御方法。
【請求項１５】
前記後処理装置によりシート束に折り紙処理を行う場合に、前記第一の給紙部及び前記第二の給紙部のいずれかで記録材又はインサートシートのいずれかが不足した場合には、シート束を形成する処理を中断することを特徴とする請求項９乃至１２のいずれか１項に記載の画像形成システムの制御方法。
【請求項１６】
前記制御工程では、前記第一の給紙部に積載された記録材を検知する第一の検知手段の検知結果に基づき前記第一の給紙部で記録材が不足したと判断し、前記第二の給紙部に積載されたインサートシートを検知する第二の検知手段の検知結果に基づき前記第二の給紙部でインサートシートが不足したと判断することを特徴とする請求項９乃至１５のいずれか１項に記載の画像形成システムの制御方法。
【発明の詳細な説明】
【技術分野】
【０００１】
本発明は、画像形成システム及び画像形成システムの制御方法に関し、特に、インサート装置及び画像形成装置を備える画像形成システムに関する。
【背景技術】
【０００２】
従来、例えば製本工程において、複数配列された給紙部それぞれに用紙束を積載し、各給紙部から１枚ずつ取り出された用紙を重ね合わせて丁合束とする丁合装置が用いられている。このような丁合装置において、複数の給紙部の中で用紙が無くなった（以下、紙無しという）給紙部が発生すると、丁合装置は動作を停止していた。これに対し、例えば、特許文献１に記載の丁合装置では、紙無しとなった給紙部以外の給紙部からの給紙動作を継続する丁合継続モードを設定可能としている。また、特許文献１では、任意の給紙部を丁合継続給紙部とし、この丁合継続給紙部で紙無しとなっても、その他の給紙部からの給紙動作が継続するように制御する構成も提案されている。
【先行技術文献】
【特許文献】
【０００３】
【特許文献１】特開２００７−０３９１９５号公報
【発明の概要】
【発明が解決しようとする課題】
【０００４】
上述したように、従来の丁合装置では、紙無しとなった給紙部がある場合に、紙無しとなった給紙部以外の給紙部からの給紙動作を継続し、丁合処理（以下、単にジョブともいう）を中断させない制御を行っている。しかし、紙無しとなった給紙部があり、丁合処理を継続した場合、紙無しとなった給紙部から給紙される予定であった用紙は丁合束には含まれていないため、未完成の丁合束が発生してしまう。最終的に未完成の丁合束を完成させるためには、紙無しになった給紙部に積載されていた用紙を後で作成し、更に、作成した用紙を丁合束の所定の頁に挿入する必要がある。ここで、図１４を用いて説明する。図１４では、例えば１００部のジョブに対して３部目から１００部目の表紙、裏表紙であるタブ紙が紙無しになっている。即ち、３部目から１００部目は丁合束としては未完成となっている。これら１００部の丁合束を最終的に完成させるためには、タブ紙を用意して、９８部の未完成の丁合束にタブ紙の表紙、裏表紙を手動で挿入する作業が必要となる。更に、多数の未完成束が存在する場合には、ユーザの手間がかかるだけでなく、完成した用紙束を作成するために時間を必要とするという課題がある。
【０００５】
本発明は、このような状況のもとでなされたもので、シート束を形成する際のユーザビリティを向上させることを目的とする。
【課題を解決するための手段】
【０００６】
上述した課題を解決するために、本発明は、以下の構成を備える。
【０００７】
（１）記録材が積載される少なくとも一つの第一の給紙部を有し、前記第一の給紙部から給紙された記録材に画像形成を行う画像形成装置と、インサートシートが積載される少なくとも一つの第二の給紙部を有し、前記第二の給紙部から給紙されたインサートシートを搬送するインサート装置と、前記画像形成装置から搬送された記録材と前記インサート装置から搬送されたインサートシートとから、シート束を形成する処理を行う後処理装置と、を備える画像形成システムであって、前記第一の給紙部で記録材が不足することにより、又は、前記第二の給紙部でインサートシートが不足することにより、前記後処理装置により未完成のシート束が形成されたときに、不足した記録材又はインサートシートに関する情報を記憶する記憶手段と、前記記憶手段に記憶された情報に基づき、前記未完成のシート束に前記不足した記録材又はインサートシートを挿入させて完成したシート束を形成する処理を行うように前記画像形成装置、前記インサート装置及び前記後処理装置を制御する制御手段と、を備えることを特徴とする画像形成システム。
【発明の効果】
【０００８】
本発明によれば、シート束を形成する際のユーザビリティを向上させることができる。
【図面の簡単な説明】
【０００９】
【図１】実施の形態の画像形成システムを示す図
【図２】実施の形態の画像形成システムのブロック図
【図３】実施の形態のインサート装置を示す図
【図４】実施の形態のインサート装置のブロック図
【図５】実施の形態のフィニッシャを示す図
【図６】実施の形態のフィニッシャのブロック図
【図７】実施の形態の操作表示装置、仕上げ設定を説明する図
【図８】実施の形態の応用モード設定を説明する図
【図９】実施の形態のジョブの一例を示す図
【図１０】実施の形態のインサート処理を説明するフローチャート
【図１１】実施の形態の未完成ジョブリストの設定を説明する図
【図１２】実施の形態の未完成ジョブの設定処理を示すフローチャート
【図１３】実施の形態の制御処理を示すフローチャート
【図１４】従来例の丁合処理を説明する図
【発明を実施するための形態】
【００１０】
以下、本発明を実施するための形態を、図面を参照しながら詳しく説明する。
【００１１】
［実施の形態］
（全体構成）
図１は実施の形態の画像形成システムの主要部の縦断面構造を示す構成図である。本実施の形態の画像形成システムは、画像形成装置１０と、インサート装置３００、及びフィニッシャ５００から構成されている。画像形成装置１０は、原稿から画像を読み取るイメージリーダ２００及び読み取った画像を記録材である用紙上に形成するプリンタ３５０を備えている。原稿給送装置１００は、原稿トレイ１０１上に上向きにセットされた原稿を先頭頁から順に１枚ずつ図中左方向へ給紙し、湾曲したパス（搬送路）を介してプラテンガラス１０２上を左から所定の読み取り位置を経て右へ搬送する。その後、外部の排紙トレイ１１２に向けて排出する。原稿が読み取り位置を通過する際に、原稿の読取面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００１２】
このように、読み取り位置を左から右へ通過するように原稿を搬送することによって、原稿の搬送方向に対して直交する方向を主走査方向とし、搬送方向を副走査方向とする原稿読み取り走査が行われる。即ち、原稿が読み取り位置を通過する際に、主走査方向に原稿画像を１ライン毎にイメージセンサ１０９で読み取りながら、原稿を副走査方向に搬送することによって原稿画像全体の読み取りを行う。光学的に読み取られた画像は、イメージセンサ１０９によって画像データに変換されて出力される。イメージセンサ１０９から出力された画像データは、プリンタ３５０の露光部１１０にビデオ信号として入力される。
【００１３】
プリンタ３５０の露光部１１０は、イメージリーダ２００から入力されたビデオ信号に基づきレーザ光を変調して出力する。露光部１１０から出力されたレーザ光は、露光部１１０に含まれる回転多面鏡により走査されながら感光ドラム１１１上に照射され、感光ドラム１１１には走査されたレーザ光に応じた静電潜像が形成される。この感光ドラム１１１上の静電潜像は、現像器１１３から供給される現像剤によって現像剤像として可視像化される。
【００１４】
一方、プリンタ３５０内に装備されている第一の給紙部である上カセット１１４又は下カセット１１５からピックアップローラ１２７、１２８により給紙された用紙は、給紙ローラ１２９、１３０によりレジストレーションローラ１２６まで搬送される。用紙の先端がレジストレーションローラ１２６に到達したところで、レジストレーションローラ１２６を任意のタイミングで駆動し、且つ、レーザ光の照射開始と同期したタイミングで、用紙を感光ドラム１１１と転写部１１６との間に搬送する。感光ドラム１１１に形成された現像剤像は、給紙された用紙上に転写部１１６により転写される。現像剤像が転写された用紙は、定着部１１７に搬送され、定着部１１７は、用紙を加熱及び加圧することによって現像剤像を用紙上に定着させる。定着部１１７を通過した用紙は、フラッパ１２１及び排出ローラ１１８を経てプリンタ３５０から画像形成装置外部に向けて排出される。
【００１５】
ここで、用紙をその画像形成面が下向きになる状態（フェイスダウン）で排出するときには、定着部１１７を通過した用紙をフラッパ１２１の切換動作により、一旦、反転パス１２２内に導く。そして、反転パス１２２に導かれた用紙の後端がフラッパ１２１を通過した後に、用紙をスイッチバックさせて排出ローラ１１８によりプリンタ３５０から排出する。この排紙形態を反転排紙と呼ぶ。用紙の両面に画像形成を行う両面記録が設定されている場合には、フラッパ１２１の切換動作により用紙を反転パス１２２に導いた後に、更に両面搬送パス１２４へ搬送する。その後、両面搬送パス１２４へ導かれた用紙を上述したタイミングで感光ドラム１１１と転写部１１６との間に再度給紙する制御が行われる。
【００１６】
本実施の形態では、画像形成装置１０の後段にインサート装置３００が接続され、インサート装置３００の後段には更にフィニッシャ５００が接続されている。このため、画像形成装置１０のプリンタ３５０から排出ローラ１１８により排出された用紙は、画像形成装置１０からインサート装置３００を経由してフィニッシャ５００に搬送される。操作表示装置６００は、画像形成に関する各種機能を設定する複数のキー、設定状態を示す情報を表示するための表示部などを有する。なお、図１中、インサート装置３００については符号の一部を、フィニッシャ５００については符号の全部を省略しており、詳細な説明は後述する。
【００１７】
（全体システムブロック図）
ここで、本実施の形態の画像形システム全体の制御を行うコントローラの構成及び全体システムブロック図について図２を参照しながら説明する。図２は図１の画像形成システム全体の制御を行うコントローラの構成を示すブロック図である。コントローラは、図２に示すように、ＣＰＵ回路部９００を有し、ＣＰＵ回路部９００は、制御手段であるＣＰＵ９０１、ＲＯＭ９０２、記憶手段であるＲＡＭ９０３を有している。ＣＰＵ９０１は本実施の形態の画像形システム全体の基本制御を行うＣＰＵである。ＣＰＵ９０１には、制御プログラムが書き込まれたＲＯＭ９０２と処理を行うためのＲＡＭ９０３が不図示のアドレスバス、データバスにより接続されている。ＣＰＵ９０１はＲＯＭ９０２に格納されている制御プログラムにより、原稿給送装置制御部９１１、イメージリーダ制御部９２１、画像信号制御部９２２、外部インターフェース（以下、外部Ｉ／Ｆとする）９０４を統括的に制御する。更に、ＣＰＵ９０１はＲＯＭ９０２に格納されている制御プログラムにより、プリンタ制御部９３１、操作表示装置制御部９４１、フィニッシャ制御部９５１、インサータ制御部９６１を総括的に制御する。ＲＡＭ９０３は、制御データを一時的に保持し、またＣＰＵ９０１による制御に伴う演算処理の作業領域として用いられる。
【００１８】
原稿給送装置制御部９１１は、原稿給送装置１００をＣＰＵ回路部９００からの指示に基づき駆動制御する。イメージリーダ制御部９２１は、スキャナユニット１０４、イメージセンサ１０９などに対する駆動制御を行い、イメージセンサ１０９から出力された画像信号を画像信号制御部９２２に出力する。画像信号制御部９２２は、イメージセンサ１０９から入力されたアナログ画像信号をデジタル信号に変換した後に各種処理を施し、デジタル信号をビデオ信号に変換してプリンタ制御部９３１に出力する。また、画像信号制御部９２２は、コンピュータ９９０から外部Ｉ／Ｆ９０４を介して入力されたデジタル画像信号に各種処理を施し、デジタル画像信号をビデオ信号に変換してプリンタ制御部９３１に出力する。画像信号制御部９２２による処理動作は、ＣＰＵ回路部９００により制御される。プリンタ制御部９３１は、入力されたビデオ信号に基づき露光部１１０、プリンタ３５０を制御し、画像形成動作、用紙搬送動作を行う。
【００１９】
フィニッシャ制御部９５１はフィニッシャ５００に搭載され、ＣＰＵ回路部９００と情報の送受信を行うことによってフィニッシャ５００全体の駆動制御を行う。この制御内容については後述する。インサータ制御部９６１はインサート装置３００に搭載され、ＣＰＵ回路部９００と情報の送受信を行うことによってインサート装置３００全体の駆動制御を行う。この制御内容についても後述する。
【００２０】
操作表示装置制御部９４１は、操作表示装置６００（図１参照）とＣＰＵ回路部９００との間で情報の送受信を行う。操作表示装置制御部９４１は、操作表示装置６００の各キーの操作に対応するキー信号をＣＰＵ回路部９００に出力するとともに、ＣＰＵ回路部９００からの信号に基づき対応する情報を操作表示装置６００に表示させる。操作表示装置６００に表示させる内容は、ディスプレイデータの内容によって決定される。ディスプレイデータは、ＣＰＵ回路部９００と操作表示装置制御部９４１で送受信されるデータであり、ＣＰＵ回路部９００は、画面に表示させたい内容を予めディスプレイデータとして作成し、ＲＡＭ９０３に記憶しておく。以降、ディスプレイデータを作成しＲＡＭ９０３に記憶しておくことを、ディスプレイデータをセットするともいう。その後、ＣＰＵ回路部９００は、作成済のディスプレイデータを操作表示装置制御部９４１に送信することで、操作表示装置制御部９４１により操作表示装置６００に任意の画面を表示させることができる。
【００２１】
（インサート装置）
次に、インサート装置３００の構成について図３を参照しながら説明する。インサート装置３００は、画像形成装置１０の用紙の搬送方向における下流側（以下、単に下流側という）に設けられる。前述したとおり、インサート装置３００には、画像形成装置１０の排出ローラ１１８により排出された、画像が形成された用紙が搬送されてくる。インサート装置３００は、画像形成装置１０から搬送されてきた用紙をインサート装置３００の下流側のフィニッシャ５００へ搬送するために、インサート装置３００の中央付近に略水平なメイン搬送パス４１、入口ローラ４５、排出ローラ４９を有している。また、メイン搬送パス４１の搬送路上には、入口センサ４８、及び排紙センサ５０が設けられている。インサート装置３００は、画像形成装置１０から搬送されてきた用紙を、用紙が搬送されてきたときの搬送速度（受け取り速度ともいう）と同じ速度で、フィニッシャ５００に搬送する。
【００２２】
インサート装置３００のメイン搬送パス４１の下部には、第二の給紙部としての複数の大容量給紙トレイ４２、４３が装置手前方向に引き出し可能に設けられている。また、メイン搬送パス４１の上部にも大容量給紙トレイ４４が設けられている。なお、本実施の形態のインサート装置３００は、大容量給紙トレイ４２、４３、４４を備える構成としているが、大容量給紙トレイの数は本実施の形態に限定されない。大容量給紙トレイ４２、４３、４４は、各トレイ上に積載された複数の表紙、合紙等を順次分離し、メイン搬送パス４１を介してフィニッシャ５００に搬送する。ここで、インサート装置３００の大容量給紙トレイ４２、４３、４４には、特殊シートが積載される。ここでいう特殊シートとは、例えば色紙、表紙、カラープレプリント紙等、様々な素材のシートを指す。以降、大容量給紙トレイ４２、４３、４４に積載された特殊シートを、インサートシートともいう。インサートシートは画像形成装置１０を経由することなくフィニッシャ５００へ搬送される。大容量給紙トレイ４２、４３、４４には、用紙束の所定の位置（頁）に挿入される所定のインサートシートが、その表面が上に向けられた状態（フェイスアップ状態）、又は表面が下に向けられた状態（フェイスダウン状態）で積載される。
【００２３】
大容量給紙トレイ４２、４３、４４に積載されたインサートシートは、リフタ４２ｂ、４３ｂ、４４ｂの上に積載され、後述するリフタモータＭ１０、Ｍ１１、Ｍ１２（図４参照）によって、大容量給紙トレイ４２、４３、４４の上部まで持ち上げられる。リフタ４２ｂ、４３ｂ、４４ｂによってインサートシートが持ち上げられると、分離給紙部４２ａ、４３ａ、４４ａに最上面のインサートシートが当接する。そして、インサートシートが分離給紙部４２ａ、４３ａ、４４ａに当接することで、分離給紙部４２ａ、４３ａ、４４ａが持ち上げられる。分離給紙部４２ａ、４３ａ、４４ａが持ち上げられると、第二の検知手段である紙有無検知センサ４２ｃ、４３ｃ、４４ｃが大容量給紙トレイ４２、４３、４４にインサートシートが積載されていること（以下、紙有りともいう）を検知する。一方、大容量給紙トレイ４２、４３、４４にインサートシートが積載されていない場合、所定時間以上リフタ４２ｂ、４３ｂ、４４ｂを上昇させたとしても分離給紙部４２ａ、４３ａ、４４ａは持ち上がらない。このため、紙有無検知センサ４２ｃ、４３ｃ、４４ｃは、大容量給紙トレイ４２、４３、４４にインサートシートが積載されていないこと（以下、紙無しともいう）を検知する。このように、分離給紙部４２ａ、４３ａ、４４ａが持ち上げられるか否かの状態に応じて、紙有無検知センサ４２ｃ、４３ｃ、４４ｃにより大容量給紙トレイ４２、４３、４４上の紙有無状態を検知することができる。
【００２４】
なお、画像形成装置１０の上カセット１１４又は下カセット１１５に関しても、給紙部の構成は同様であり、紙有無検知の方法に関しても第一の検知手段である不図示のセンサ等の検知結果に基づき同様の制御を行っている。大容量給紙トレイ４２、４３、４４において紙有りが検知されたトレイでは、最上位のインサートシートから１枚ずつ順次分離されて給送される。分離給紙部４２ａ、４３ａ、４４ａの下流側には不図示の引き抜きローラ対が配置され、この引き抜きローラ対により分離されたインサートシートは、安定して給送パス４７、４８に搬送され、更にメイン搬送パス４１に搬送される。
【００２５】
（インサート装置のブロック図）
次に、インサート装置３００を制御するインサータ制御部９６１の構成について図４を参照しながら説明する。図４は図２のインサータ制御部９６１の構成を示すブロック図である。インサータ制御部９６１は、インサータ制御部９６１のＣＰＵ９６２、ＲＯＭ９６３、ＲＡＭ９６４などで構成される。インサータ制御部９６１は、不図示の通信ＩＣを介して画像形成装置１０側に設けられたＣＰＵ回路部９００と通信することによりデータ交換を行う。そして、インサータ制御部９６１は、ＣＰＵ回路部９００からの指示に基づき、ＲＯＭ９６３に格納されている各種プログラムを実行してインサート装置３００の駆動制御を行う。
【００２６】
インサート装置３００における各種入出力に関しては、図４中に破線で示した構成となっている。具体的には、インサート装置３００には、入口ローラ４５を駆動する入口モータＭ１、メイン搬送パスローラ４６（図３参照）を駆動するメイン搬送パスモータＭ２、排出ローラ４９を駆動する排紙モータＭ３を設けている。また、インサート装置３００には、給紙したインサートシートを搬送するための給送パス４７、４８上に配置されたローラを駆動するための第１給送モータＭ８、第２給送モータＭ９を設けている。大容量給紙トレイ４２、４３、４４を制御するモータに関しては、分離給紙部４２ａ、４３ａ、４４ａを駆動するための、分離給紙部４２ａモータＭ４、分離給紙部４３ａモータＭ５、分離給紙部４４ａモータＭ６を設けている。また、大容量給紙トレイ４２、４３、４４を制御するモータに関しては、リフタ４２ｂ、４３ｂ、４４ｂを駆動する、リフタモータＭ１０、Ｍ１１、Ｍ１２を設けている。更に、センサに関しては、大容量給紙トレイ４２、４３、４４のインサートシートの有無を検知するための紙有無検知センサ４２ｃ、４３ｃ、４４ｃが設けられている。その他、画像形成装置１０から搬送されてきた用紙の通過を検知するために入口センサ４８が、用紙やインサートシートの通過を検知するために排紙センサ５０が設けられている。ＣＰＵ９６２は、上述したモータやセンサを制御したり、モータの状態やセンサの検知結果等の情報を入力信号として受信したりするために、センサやモータとデータの送受信を行っている。
【００２７】
（フィニッシャ）
次に、フィニッシャ５００の構成について図５を参照しながら説明する。図５は図１のフィニッシャ５００の構成図である。フィニッシャ５００は、インサート装置３００の排出ローラ４９により排出されたインサートシート又は画像形成装置１０からインサート装置３００を介して搬送されてきた記録シートを、フィニッシャ５００内に順に取り込む。インサートシート及び記録シートをまとめて用紙という。そして、フィニッシャ５００は、取り込んだ複数の用紙を整合して１つの束に束ねて用紙束とする処理や、用紙束の後端をステイプルで綴じるステイプル処理のシート後処理を行う。また、フィニッシャ５００は、取り込んだ用紙の後端付近に穴あけをするパンチ処理、ソート処理、ノンソート処理、製本処理など、各種のシート後処理を行う。フィニッシャ５００は、図５に示すように、インサート装置３００から排出された用紙を入口ローラ対５１１により内部に取り込み、入口ローラ対５１１により内部に取り込まれた用紙は、搬送ローラ対５２０を介して搬送される。入口ローラ対５１１と搬送ローラ対５０２との間の搬送路の途中には、入口センサ５７０が設けられている。また、ソートパス５２２の下流側には切換フラッパ５１４が配置されており、切換フラッパ５１４は、処理トレイ５５０と、製本パス５２３へ搬送先を切り換えるフラッパである。
【００２８】
切換フラッパ５１３は、用紙をノンソートパス５２１又はソートパス５２２に搬送するためのフラッパである。用紙をノンソートパス５２１に搬送するときには、用紙は切換フラッパ５１３が動作してサンプルトレイ７０１に搬送される。サンプルトレイ７０１に搬送された用紙は、排紙ローラ対５１２を介してサンプルトレイ７０１上に排紙される。ノンソートパス５２１の途中には、排紙センサ５７１が設けられている。一方、用紙をソートパス５２２に搬送するときには、切換フラッパ５１３は動作せずに用紙はソートパス５２２に搬送される。ソートパス５２２に搬送された用紙は、搬送ローラ対５１５、５７３を介して中間トレイである処理トレイ５５０上に積載される。このように、用紙が処理トレイ５５０上に積載されていくことによって、用紙が束を形成することとなる。処理トレイ５５０上に束状に積載された用紙は、必要に応じて図中手前側と奥側に設けられた図示しない整合部材による整合処理や、後述するステイプラ５６０によるステイプル処理などが施される。そして、整合処理やステイプル処理等が施された用紙は、束排紙ローラ５５１によりスタックトレイ７００上に排出される。上述したステイプル処理は、ステイプラ５６０により行われる。ステイプラ５６０は、処理トレイ５５０の外周に沿って移動可能に構成され、処理トレイ５５０に積載された用紙束を、用紙搬送方向に対して用紙の最後尾位置（後端）で綴じることが可能である。
【００２９】
また、製本パス５２３に導かれた用紙は、搬送ローラ対８０１を介して製本中間トレイである製本処理トレイ５８０に搬送される。製本パス５２３の途中には図示しない製本入口センサが設けられている。製本処理トレイ５８０には、シート把持部材８０２と可動式の用紙位置決め部材８０５が設けられている。なお、図中、用紙位置決め部材８０５の異なる位置の様子を破線で示している。また、中綴じステイプラ８２０ａと対向する位置にはアンビル８２０ｂが設けられており、中綴じステイプラ８２０ａとアンビル８２０ｂが協働して、製本処理トレイ５８０に収納された用紙束に対してステイプル処理を行う構成となっている。中綴じステイプラ８２０ａの下流側には、折りローラ対８１０ａ、８１０ｂと折りローラ対８１０ａ、８１０ｂの対向位置に突き出し部材８３０が設けられている。突き出し部材８３０を製本処理トレイ５８０に収納された用紙束に向けて突出することにより、製本処理トレイ５８０で束状に収納された用紙束を折りローラ対８１０ａ、８１０ｂ間に押し出す。折りローラ対８１０ａ、８１０ｂは、用紙束を折ると共に下流側へと用紙束を搬送する。折り込まれた用紙束は、搬送パスに導かれ折り搬送ローラ８１１ａ、８１１ｂを介して下流装置へと受け渡され、製本トレイ８５０上に排出される。折り搬送ローラ８１１ａ、８１１ｂの下流側には図示しない排紙センサが設けられている。
【００３０】
ここで、製本処理トレイ５８０では２種類の成果物を作成することができる。用紙を製本処理トレイ５８０に順次積載して用紙束とし、中綴じステイプラ８２０ａを動作させる製本処理を行えば、中綴じ製本束を作成させることができる。また、製本処理トレイ５８０に１枚ずつ用紙を積載して用紙束とし、中綴じステイプラ８２０ａを動作させずに折り紙処理を行うことで、２つ折りの成果物を作成することが可能となる。
【００３１】
（フィニッシャブロック図）
次に、フィニッシャ５００を制御するフィニッシャ制御部９５１の構成について図６を参照しながら説明する。図６は図２のフィニッシャ制御部９５１の構成を示すブロック図である。フィニッシャ制御部９５１は、フィニッシャ制御部９５１のＣＰＵ９５２、ＲＯＭ９５３、ＲＡＭ９５４などで構成される。フィニッシャ制御部９５１は、不図示の通信ＩＣを介して画像形成装置１０側に設けられたＣＰＵ回路部９００と通信することによりデータ交換を行う。そして、フィニッシャ制御部９５１は、ＣＰＵ回路部９００からの指示に基づきＲＯＭ９５３に格納されている各種プログラムを実行してフィニッシャ５００の駆動制御を行う。
【００３２】
フィニッシャ５００における各種入出力に関しては、図６中に破線で示した構成となっている。具体的には、フィニッシャ５００には、入口ローラ対５１１及び搬送ローラ対５０２を駆動する入口モータＭ１１１、バッファローラ５０３（図５参照）を駆動するバッファモータＭ１１２を設けている。また、フィニッシャ５００には、排紙ローラ対５１２及び搬送ローラ対５１５を駆動する排紙モータＭ１１３を設けている。また、処理トレイ５５０の各種部材を駆動する手段としては、束排紙ローラ５５１を駆動する束排紙モータＭ１１６、揺動ガイド５２４（図５参照）を昇降駆動する揺動ガイドモータＭ１１４を設けている。また、図示しない整合部材を駆動する整合モータＭ１１５、ステイプラ５６０を駆動するステイプルモータＭ１１１４などが設けられている。その他、用紙の通過を検知するために、入口センサ５７０や排紙センサ５７１が設けられている。ＣＰＵ９５２は、上述したモータやセンサを制御したり、モータの状態やセンサの検知結果等の情報を入力信号として受信したりするために、センサやモータとデータの送受信を行っている。更に、フィニッシャ５００における製本機能のための入出力に関しては、図６の二点鎖線で示した構成となっている。具体的には、フィニッシャ５００には、搬送ローラ対８０１を駆動する搬送モータＭ１１７、折りローラ対８１０ａ、８１０ｂを駆動する折りモータＭ１１８が設けられている。また、フィニッシャ５００には、突き出し部材８３０を駆動する突きモータＭ１１９、用紙位置決め部材８０５を昇降駆動する位置決めモータＭ１１１０が設けられている。更に、フィニッシャ５００には、シート把持部材８０２を駆動するシート把持モータＭ１１１２、製本トレイ８５０のコンベアを移動させるコンベアモータＭ１１１３などが設けられている。
【００３３】
（操作表示装置及び仕上げ処理の設定方法）
次に、仕上げ処理設定の流れについて図７を参照しながら説明する。図７（ａ）は操作表示装置６００を示す図である。操作表示装置６００は、画像形成システムの各種情報の表示、ユーザからの指示入力を行う。表示部６２０は、画像形成システムの機能やユーザへのメッセージの表示を行う。また、表示部６２０は、タッチパネル形式の液晶パネルであり、表示されたソフトキーを押下することにより選択操作を行うことができる。テンキー６０４〜６１３は数値等の入力に使用するキーである。クリアキー６１５は、例えばテンキー６０４〜６１３の設定を間違えた場合などに、入力をデフォルト値に戻すためのキーである。スタートキー６０２及びストップキー６０３は、機能実行の起動と中止を行うキーである。
【００３４】
図７（ｂ）は、操作表示装置６００に表示された表示部６２０の初期画面である。図７（ｂ）に示す初期画面で、ソフトキーである「仕上げ」が選択されると、表示部６２０が図７（ｃ）に示すような仕上げの選択を促す画面に遷移する。図７（ｃ）は、「仕上げ」について、ステイプル処理を行わずにソート処理を行うか、ステイプル処理を行うか（即ち、ステイプル処理の有無）を選択させる画面である。図７（ｃ）の表示部６２０において、「ソート」が選択されるとステイプルを行わない処理が選択され、その後、「次へ」キーが押されると設定が終了して初期画面へと戻る。図７（ａ）は、「仕上げ」としてソート処理が選択され「ソータ」となっている操作表示装置６００を示している。そして、画像形成システムは、図７（ａ）に示すスタートキー６０２が押下されて動作が開始されるのを待つ状態となる。一方、図７（ｃ）の表示部６２０において、「ステイプル」が選択されると、図７（ｄ）に示すように、ステイプルの選択を行わせる画面に遷移する。ここで、例えば、「ダブル」が選択されると、次に用紙束に対して左右のどちら側にステイプル処理を行うかの選択画面が表示される。左右のどちら側にステイプル処理を行うかが選択された後、図７（ｄ）の表示部６２０で「決定」キーが押されると設定が終了し初期画面へと戻る。そして、画像形成システムは、スタートキー６０２が押下されて動作が開始するのを待つ状態となる。
【００３５】
（インサート処理の設定方法）
次に、インサート処理設定の流れについて図８を参照しながら説明する。図７においてステイプルの設定を完了した後、図８（ａ）に示す初期画面でソフトキーである「応用モード」が選択されると、表示部６２０が図８（ｂ）に示すような応用モードの一覧の中から応用モードを選択する画面に遷移する。なお、図８（ｂ）には応用モードとして、「混載」、「表紙／合紙」、「縮小レイアウト」、「製本」、「とじしろ」、「枠消し」、「シャープネス」、「鏡像」、「ネガポジ反転」、「移動」が表示されている。なお、他の応用モードを表示させる構成としてもよい。ここで、「表紙／合紙」が選択されると、図８（ｃ）に示すように、表紙／合紙の設定を行わせる画面に遷移する。ここで、合紙が選択されると、どの頁の前に合紙を何枚挿入するかが同時に選択されることになる。これらの設定を終えて「次へ」が選択されると、図８（ｄ）に遷移し、選択した動作をどの給紙段から実行するかの給紙段の設定画面が表示される。図８（ｄ）に示すように、選択できる給紙段としては、インサート装置３００の大容量給紙トレイ４２、４３、４４や、プリンタ３５０の上カセット１１４、下カセット１１５（本体給紙段）、手差給紙部１２５等がある。図８（ｄ）で給紙段が設定された後、「決定」キー（不図示）が押されると設定が終了し、初期画面へと戻る。そして、画像形成システムは、スタートキー６０２が押下されて動作を開始するのを待つ状態となる。
【００３６】
（未完成ジョブの記憶処理）
次に、未完成ジョブの記憶処理について、図９、図１０を用いて説明する。なお、未完成ジョブとは、ジョブの中で指定された部数における少なくとも１部以上の用紙束について、１部を構成する複数の用紙の中で少なくとも１枚以上の用紙が不足していることによって未完成となっている用紙束が存在しているジョブをいう。ここで、未完成ジョブの記憶処理を説明するために、図９に示す、用紙からなる用紙束へのシート後処理を行うジョブ（以下、単にジョブという）を例に説明する。図９に示すジョブでは、１０枚の用紙からなる用紙束を２部作成するジョブを例に挙げている。また、図９（ａ）に示すように、１部の用紙束は、表紙（１枚目）、裏表紙（１０枚目）、合紙（５、８、９枚目）、画像形成装置１０により画像形成された記録シート（２〜４、６、７枚目）から構成される。なお、用紙束の１枚目となる表紙、１０枚目となる裏表紙は大容量給紙トレイ４３から、合紙は大容量給紙トレイ４２から挿入することとする。更に、図９（ｂ）には、ジョブが開始される前に各給紙段に積載されている用紙の枚数を明記している。例えば、用紙束の１枚目となる表紙、１０枚目となる裏表紙は、インサート装置３００の大容量給紙トレイ４３に２枚積載されている。また、用紙束の５、８、９枚目となる合紙は、インサート装置３００の大容量給紙トレイ４２に１００枚積載されている。更に、画像形成装置１０により画像形成される記録シートは、画像形成装置１０の上カセット１１４に９枚積載されている。図９（ａ）に示すジョブの内容を考慮すると、図９（ｂ）の状態でジョブを開始した場合、結果的に各給紙段の用紙は以下の枚数だけ不足することになる。
【００３７】
・表紙／裏表紙
必要枚数      ４枚（１束で２枚必要×２部分）
不足分        ２枚（２枚積載されているが、４枚必要なため）
・合紙
必要枚数      ６枚（１束で３枚必要×２部分）
不足分        ０枚（１００枚積載されているため、不足分無し）
・画像形成される記録シート
必要枚数    １０枚（１束で５枚必要×２部分）
不足分        １枚（９枚積載されているが、１０枚必要なため）
【００３８】
即ち、図９（ａ）に示すジョブが図９（ｂ）に示すような状況で実行された場合、１部目は用紙の不足がない用紙束（以下、完成束ともいう）となり、２部目は用紙の不足がある用紙束（以下、未完成束ともいう）となる。このように、不足分の用紙により未完成束が発生した状況に対して、後で、不足となった用紙を未完成束の所定の位置（頁）に挿入し、未完成束を完成束とすることができるように、不足分の用紙に関する情報を記憶する必要がある。
【００３９】
次に図１０のフローチャートを用いて記憶処理の具体的な制御について述べる。画像形成システムへジョブを投入するにあたり、初めに操作表示装置６００を用いて、ユーザによるジョブの設定が行われる。ステップ（以下、Ｓとする）１０００でＣＰＵ９０１は、操作表示装置制御部９４１により、ユーザに図７で説明した仕上げの設定を行わせ、ソート処理又はステイプル処理のどちらのジョブを行うかを選択させる。Ｓ１００１でＣＰＵ９０１は、操作表示装置制御部９４１により、ユーザに図８で説明した応用モードの選択を行わせる。即ち、ＣＰＵ９０１は、インサートシートである表紙、合紙、裏表紙の設定、及びこれらが積載される給紙段の設定を行わせる。なお、これらの設定が操作表示装置６００から入力されると、これらの設定に関する情報が操作表示装置制御部９４１からＣＰＵ９０１に送信され、ＣＰＵ９０１は受信したこれらの設定に関する情報をＲＡＭ９０３に記憶させる。Ｓ１００２でＣＰＵ９０１は、スタートキー６０２が押下されたことに応じて、Ｓ１０００及びＳ１００１で設定されたジョブを開始する。Ｓ１００３でＣＰＵ９０１は、ＲＡＭ９０３に記憶されているジョブに関する各種変数の初期化処理を行う。ここで、部数Ａは、ジョブの何部目かを記憶するための変数であり、枚数Ｂは、部の中の何枚目かを記憶するための変数である。更に、変数Ｎは、未完成用紙情報を記憶するために用いる変数であり、以降、未完成用紙情報を変数Ｎに記憶することを、未完成用紙情報Ｎを登録する、ともいう。ＣＰＵ９０１は、部数Ａ、枚数Ｂを０（Ａ＝０、Ｂ＝０）、変数Ｎを１（Ｎ＝１）とする。
【００４０】
Ｓ１００４でＣＰＵ９０１は、ＲＡＭ９０３に記憶されている変数の設定を行う。具体的には、ＣＰＵ９０１は、枚数Ｂをインクリメント（Ｂ＝Ｂ＋１）する。Ｓ１００５でＣＰＵ９０１は、現時点でジョブの対象となっている用紙が、部の先頭（１枚目）の用紙（以下、単に部先頭紙という）であるか否かを判断する。ここで、ＣＰＵ９０１は、枚数Ｂの値を参照することにより、現時点でジョブの対象となっている用紙が部先頭紙であるか否かを判断する。Ｓ１００５でＣＰＵ９０１は、現時点でジョブの対象となっている用紙が部先頭紙であると判断した場合は、Ｓ１００６で、ＲＡＭ９０３に記憶されている変数の設定を行う。具体的には、ＣＰＵ９０１は、部数Ａをインクリメント（Ａ＝Ａ＋１）し、部数のカウントアップ処理を行う。一方、Ｓ１００５でＣＰＵ９０１は、現時点でジョブの対象となっている用紙が部先頭紙ではないと判断した場合、Ｓ１００７の処理に進む。
【００４１】
Ｓ１００７でＣＰＵ９０１は、ユーザが設定したジョブの内容に従って、画像形成装置１０の画像形成動作、及びインサート装置３００によるインサート処理を制御する。即ち、ＣＰＵ９０１は、Ｓ１００１で設定されたジョブ情報に従って、現時点でジョブの対象となっている用紙をどの給紙段から給紙するかを判断する。例えば、図９（ａ）のジョブを実行する場合、ＣＰＵ９０１は、枚数Ｂが１又は１０であれば大容量給紙トレイ４３から表紙又は裏表紙を給紙する。また、枚数Ｂが５、８又は９であれば大容量給紙トレイ４２から合紙を給紙して、インサート装置３００によりインサート処理を行う。また、ＣＰＵ９０１は、枚数Ｂが２〜４、６、７のいずれかであれば、画像形成装置１０の上カセット１１４から記録シートを給紙し、画像形成装置１０により給紙した記録シートに画像形成処理を行った後、インサート装置３００へ記録シートを搬送する。ＣＰＵ９０１は、Ｓ１００７の判断結果に応じて、Ｓ１００８〜Ｓ１０１２の処理に進み、Ｓ１００８〜Ｓ１０１２では、選択された給紙段に用紙があるか否かを判断する。
【００４２】
具体的には、Ｓ１００７でＣＰＵ９０１は、画像形成装置１０の上カセット１１４から給紙すると判断した場合、Ｓ１００８で上カセット１１４に記録シートがあるか否かを判断する。また、Ｓ１００７でＣＰＵ９０１は、画像形成装置１０の下カセット１１５から給紙すると判断した場合、Ｓ１００９で下カセット１１５に記録シートがあるか否かを判断する。また、Ｓ１００７でＣＰＵ９０１は、インサート装置３００の大容量給紙トレイ４２から給紙すると判断した場合、Ｓ１０１０で大容量給紙トレイ４２にインサートシート（図９（ａ）の例では合紙）があるか否かを判断する。また、Ｓ１００７でＣＰＵ９０１は、インサート装置３００の大容量給紙トレイ４３から給紙すると判断した場合、Ｓ１０１１で大容量給紙トレイ４３にインサートシート（図９（ａ）の例では表紙、裏表紙）があるか否かを判断する。更に、Ｓ１００７でＣＰＵ９０１は、インサート装置３００の大容量給紙トレイ４４から給紙すると判断した場合、Ｓ１０１２で大容量給紙トレイ４４にインサートシートがあるか否かを判断する。なお、Ｓ１００８〜Ｓ１０１２では、各給紙段に用紙があるか否かを「給紙段紙有り」と記載している。
【００４３】
ＣＰＵ９０１は、Ｓ１００８で上カセット１１４に記録シートがあると判断した場合、及び、Ｓ１００９で下カセット１１５に記録シートがあると判断した場合、Ｓ１０１３の処理に進む。Ｓ１０１３でＣＰＵ９０１は、上カセット１１４又は下カセット１１５から給紙された記録シートに画像形成装置１０による画像形成を行う。そして、ＣＰＵ９０１は、画像形成が完了した記録シートをインサート装置３００を介してフィニッシャ５００へ排出する動作を行い、Ｓ１０１８の処理に進む。また、ＣＰＵ９０１は、Ｓ１０１０〜Ｓ１０１２の各判断処理において、大容量給紙トレイ４２、４３、４４にインサートシートがあると判断した場合、Ｓ１０１４の処理に進む。Ｓ１０１４でＣＰＵ９０１は、インサート装置３００によるインサート処理を行い、大容量給紙トレイ４２、４３、４４のいずれかから給紙された表紙、裏表紙、合紙のいずれかのインサートシートをフィニッシャ５００へ排出する動作を行う。そして、ＣＰＵ９０１は、Ｓ１０１８の処理に進む。
【００４４】
Ｓ１０１８でＣＰＵ９０１は、現時点でジョブの対象となっている用紙が部の最後（図９（ａ）の例では１０枚目）の用紙（以下、単に部終了紙という）か否かを判断する。なお、部の最後の枚数の値は、１部に含まれる全枚数の値でもある。ここで、ＣＰＵ９０１は、枚数Ｂの値を参照し、枚数Ｂの値が１部に含まれる枚数と等しいかどうかにより、現時点でジョブの対象となっている用紙が部終了紙であるか否かを判断する。Ｓ１０１８でＣＰＵ９０１は、現時点でジョブの対象となっている用紙が部終了紙であると判断した場合、Ｓ１０１９でＲＡＭ９０３に記憶されている変数の設定を行う。具体的には、ＣＰＵ９０１は、枚数Ｂの値をクリア（Ｂ＝０）し、次部の枚数のカウントアップ処理を行うための初期化処理を行う。Ｓ１０１８でＣＰＵ９０１は、現時点でジョブの対象となっている用紙が部終了紙ではないと判断した場合、Ｓ１０２０の処理に進む。Ｓ１０２０でＣＰＵ９０１は、ジョブが終了したか否かを判断する。ここで、ＣＰＵ９０１は、部数Ａの値を参照し、部数Ａの値が設定された部数と等しいかどうかにより、ジョブが終了したか否かを判断する。Ｓ１０２０でＣＰＵ９０１は、ジョブが終了していないと判断した場合には、Ｓ１００４の処理に戻る。
【００４５】
（給紙段が紙無しとなった場合の処理）
次に、ジョブ中に未完成束が発生した場合の処理について説明する。ＣＰＵ９０１は、Ｓ１００８〜Ｓ１０１２のいずれかの判断処理で、現時点でジョブの対象となっている用紙を積載した給紙段に用紙がないと判断した場合、Ｓ１０２３の処理に進む。Ｓ１０２３でＣＰＵ９０１は、Ｓ１０００やＳ１００１で設定された情報に基づいて、ジョブの内容を判断する。Ｓ１０２３でＣＰＵ９０１は、例えば、現在実行されているジョブがステイプル処理及び折り紙処理のどちらも含まないジョブか否かを判断する。ここで、ステイプル処理は、フィニッシャ５００の処理トレイ５５０でステイプラ５６０によって結束された用紙束を作成する処理である。また、折り紙処理は、フィニッシャ５００の製本処理トレイ５８０で突き出し部材８３０等によって折り曲げられた用紙束を作成する処理である。
【００４６】
ここで、Ｓ１０２３の判断処理を行っている理由としては、後述する未完成束を完成させるための制御処理の中で、完成済の束をインサート装置３００にセットし、給紙を行う動作が含まれる。しかし、ステイプル処理又は折り紙処理された用紙束は、インサート装置３００から給紙を行えない。即ち、ジョブにステイプル処理を含む場合は、用紙束が針で結束されてしまっているために、用紙束の途中に用紙を挿入することができない。また、折り紙処理を含む場合は、用紙束に折り目がついてしまっているために、再度の給紙を行うと紙詰まりを発生させるおそれがある。そのため、ジョブにステイプル処理や折り紙処理を含む場合、後述する未完成束を完成させるための制御処理を正しく動作させることができない。このため、Ｓ１０２３でＣＰＵ９０１は、ジョブの中にステイプル処理又は折り紙処理が含まれていると判断した場合、Ｓ５０００の処理に進む。
【００４７】
Ｓ５０００でＣＰＵ９０１は、現在実行しているジョブを中断する。Ｓ５００１でＣＰＵ９０１は、Ｓ１００８〜Ｓ１０１２の判断処理において紙無し、と判断した給紙段に用紙を補充するように知らせる画面を、操作表示装置制御部９４１により操作表示装置６００に表示させ、ユーザに報知する。Ｓ５００２でＣＰＵ９０１は、紙無しとなっていた給紙段に用紙が補充され、前述の紙有無検知センサ４２ｃ、４３、ｃ４４ｃ等によって紙有りを検知したか否かを判断する。Ｓ５００２でＣＰＵ９０１は、紙有りを検知しないと判断した場合はＳ５００２の処理に戻り、紙有りを検知したと判断した場合にはＳ１００７の処理に戻ってジョブを再開する。
【００４８】
Ｓ１０２３でＣＰＵ９０１は、現在実行しているジョブにステイプル処理及び折り紙処理のどちらも含まれていないと判断した場合は、Ｓ１０１６で、未完成用紙情報ＮをＲＡＭ９０３に記憶する（登録する）処理を行う。即ち、ＣＰＵ９０１は、現時点でジョブの対象となっている、不足している用紙（本紙）について、以下の情報をＲＡＭ９０３に登録する。具体的には、
・部数情報：紙無しの用紙は何部目の束であるかの情報
・枚数情報：紙無しの用紙は部の中の何枚目の用紙であるのかの情報
・用紙情報：紙無しになった用紙の紙種、坪量、サイズ等の情報
・印字情報：紙無しになった用紙の印字／画像データ情報（ただし、インサートシートは画像形成を行わないので、画像データはない）
【００４９】
ＣＰＵ９０１は、部数情報、枚数情報、用紙情報、印字情報等、不足した用紙に関する情報を、未完成用紙情報ＮとしてＲＡＭ９０３に記憶する。ここで、図９のジョブに関しての未完成用紙情報Ｎは次の３つになる。また、ＲＡＭ９０３では、未完成用紙情報１、２、３というように、上述した４つの情報を１まとまりのデータとして通し番号で管理するため、未完成用紙情報の通し番号として変数Ｎを用いている。Ｓ１０１６でＣＰＵ９０１は、未完成用紙情報ＮをＲＡＭ９０３に登録し、Ｓ１０１７で変数Ｎをインクリメント（Ｎ＝Ｎ＋１）して、次の未完成用紙情報の番号とし、Ｓ１０１８の処理に進む。
【００５０】
図９に示す例の場合、１部目では、紙無しとなる給紙段がないため、用紙束は完成する。大容量給紙トレイ４３には、表紙、裏表紙が２枚しか積載されていないため、２部目（Ａ＝２）の１枚目（Ｂ＝１）で大容量給紙トレイ４３が紙無しとなる。また、画像形成装置の上カセット１１４には、記録シートが９枚しか積載されていないため、２部目（Ａ＝２）の７枚目（Ｂ＝７）で上カセット１１４が紙無しとなる。更に、２部目（Ａ＝２）の１０枚目（Ｂ＝１０）でも大容量給紙トレイ４３が紙無しとなる。以上のことから、図９に示すジョブの場合、未完成用紙情報Ｎは、以下のようになる。
【００５１】
＜未完成用紙情報１（Ｎ＝１）＞（表紙）
部数情報：２部目
枚数情報：１枚目
用紙情報：コート紙厚紙（８０ｇ〜１０５ｇ）
印字情報：無し
＜未完成用紙情報２（Ｎ＝２）＞（画像形成が行われる記録シート）
部数情報：２部目
枚数情報：７枚目
用紙情報：普通紙（８０ｇ〜１０５ｇ）
印字情報：本紙の画像データ
＜未完成用紙情報３（Ｎ＝３）＞（裏表紙）
部数情報：２部目
枚数情報：１０枚目
用紙情報：コート紙厚紙（８０ｇ〜１０５ｇ）
印字情報：無し
なお、未完成用紙情報２の印字情報は、用紙１頁分の画像データをＲＡＭ９０３に記憶しておく。
【００５２】
Ｓ１０２０でＣＰＵ９０１は、ジョブが終了したと判断した場合、Ｓ１０２１で、ＲＡＭ９０３に未完成用紙情報Ｎが登録されているか否か（未完成用紙情報の有無）を判断する。Ｓ１０２１でＣＰＵ９０１は、ＲＡＭ９０３に未完成用紙情報Ｎが登録されていると判断した場合、Ｓ１０２２の処理に進む。Ｓ１０２２でＣＰＵ９０１は、ユーザが後から未完成のジョブを投入できるようにするために、ＲＡＭ９０３の未完成ジョブリストに前述の全ての未完成用紙情報Ｎを記憶し、ジョブを終了する。Ｓ１０２１でＣＰＵ９０１は、ＲＡＭ９０３に未完成用紙情報Ｎが記憶されていないと判断した場合、ジョブを終了する。
【００５３】
（未完成のジョブを完成させるための設定）
図１０のＳ１０２２でＣＰＵ９０１がＲＡＭ９０３に記憶した未完成ジョブリストを表示させるためには、初めに図７（ａ）の「ジョブ履歴」のソフトキーを押下させる。図７（ａ）の画面で「ジョブ履歴」が押下されると、図１１（ａ）の画面に遷移する。図１１（ａ）の画面にはジョブ履歴が表示される。ジョブ履歴の画面には、例えば、ジョブの番号（Ｎｏ）（ジョブ１、ジョブ２等）、日付（２０１２．１０．１０等）、ジョブを投入した時間（１７：３０等）、ユーザ（氏名等）、及びジョブの出力結果（ＯＫ又はＮＧ等）が表示される。図１１（ａ）に示すジョブ履歴の画面で、結果欄が「ＯＫ」となっているジョブ（ジョブ２等）は、ジョブが正常に終了したことを示している。この場合、フィニッシャ５００には、完成した用紙束が排出されている。一方、図１１（ａ）に示すジョブ履歴の画面で、結果欄が「ＮＧ」となっているジョブ（ジョブ１等）は、前述したようにジョブの途中で用紙がなくなり、未完成の用紙束が存在することを示している。ここで、図１１（ａ）の「未完成ジョブリスト」が押下されると、図１１（ｂ）の画面に遷移し、未完成ジョブリスト、即ち、図１１（ａ）の結果欄が「ＮＧ」となっている未完成の用紙束が存在するジョブのみのリストが表示される。ＣＰＵ９０１は、ユーザに未完成ジョブリストの中から、任意のジョブを選択させることで、未完成の用紙束を完成させる処理を行うことができる。
【００５４】
（用紙情報−給紙段対応リストの登録）
次に未完成のジョブを完成させるための設定方法、及び制御処理について説明する。初めに、未完成ジョブの設定方法について、図１１を用いて説明する。図１１（ｂ）の未完成ジョブリストから任意のジョブが選択されると、図１１（ｃ）の画面に遷移する。図１１（ｃ）の画面では、図１０のＳ１０１６でＣＰＵ９０１がＲＡＭ９０３に記憶した未完成用紙情報Ｎの内容に基づいて、未完成の用紙束のセットを促す。更に、未完成束の中の不足分の用紙に関しては、紙種、坪量、サイズを指定して給紙段へのセットを促す。例えば、未完成束を給紙段（１）（大容量給紙トレイ４２）に積載するように促す。なお、未完成束を所定の給紙段に積載させる場合には、ジョブが行われた総部数の中で最初に未完成束となった部数から積載させる。例えば、図１４に示すジョブの場合、３部目から未完成束となっているため、３部目以降の未完成束を所定の給紙段に積載させる。また、表紙、裏表紙として使用されるインサートシートとして、コート紙厚紙（８０ｇ〜１０５ｇ）を給紙段（２）（大容量給紙トレイ４３）に積載するように促す。更に、画像形成装置１０により画像形成が行われる記録シートとして、普通紙（８０ｇ〜１０５ｇ）のＡ４用紙を給紙段（３）（上カセット１１４）に積載するように促す。
【００５５】
ここで、図１２のフローチャート、及び表１を用いて図１１（ｃ）の決定方法について説明する。Ｓ３０００でＣＰＵ９０１は、未完成束を大容量給紙トレイ４２にセットさせるためのディスプレイデータをセットする。ここでは、「・未完成束を給紙段（１）にセットしてください」の文言を表示するためのデータを作成する。Ｓ３００１でＣＰＵ９０１は、ＲＡＭ９０３の変数設定を行う。具体的には、ＣＰＵ９０１は、変数Ｎを１に初期化し（Ｎ＝１）、Ｓ３００２で、図１０のＳ１０１６の処理でＲＡＭ９０３に登録された未完成用紙情報Ｎの情報を参照し、未完成用紙情報Ｎがあるか否かを判断する。Ｓ３００２でＣＰＵ９０１は、未完成用紙情報Ｎがあると判断した場合、Ｓ３００３の処理に進む。Ｓ３００３でＣＰＵ９０１は、未完成用紙情報Ｎの用紙情報が用紙情報−給紙段対応リストに登録されていないか否かを判断する。ここで、用紙情報−給紙段対応リストとは、各給紙段にどの用紙情報の用紙がセットされているかの情報が格納されており、どの用紙情報がどこの給紙段にセットされるのかを管理するもので、ＲＡＭ９０３に記憶される。
【００５６】
Ｓ３００３でＣＰＵ９０１は、用紙情報−給紙段対応リストに未完成用紙情報Ｎの用紙情報が登録されていないと判断した場合、Ｓ３００５の処理に進む。一方、Ｓ３００３でＣＰＵ９０１は、未完成用紙情報Ｎの用紙情報が用紙情報−給紙段対応リストに登録されていると判断した場合には、Ｓ３００４で未完成用紙情報Ｎをインクリメント（Ｎ＝Ｎ＋１）し、Ｓ３００２の処理に戻る。Ｓ３００５でＣＰＵ９０１は、未完成用紙情報Ｎの印字情報を参照し、印字情報データがあるか否か、即ち画像形成する予定であった記録シートか否かを判断する。Ｓ３００５でＣＰＵ９０１は、画像形成する予定であった記録シートであると判断した場合、Ｓ３００６の処理に進む。Ｓ３００６でＣＰＵ９０１は、用紙情報−給紙段対応リストに、給紙段（３）（上カセット１１４）がまだ登録されていないか否かを判断する。なお、この処理は、画像形成装置１０のどの給紙段に記録シートをセットするかを決定するための処理である。Ｓ３００６でＣＰＵ９０１は、用紙情報−給紙段対応リストに給紙段（３）、即ち上カセット１１４が登録されていないと判断した場合、Ｓ３００７の処理に進む。Ｓ３００７でＣＰＵ９０１は、給紙段（３）（上カセット１１４）へのセットを促すための画面を表示するため、次のような処理を行う。即ち、ＣＰＵ９０１は、操作表示装置６００に「（未完成用紙情報Ｎの用紙情報）を給紙段（３）にセットしてください」を表示するためのデータをディスプレイデータにセットし、Ｓ３０１２の処理に進む。なお、「（未完成用紙情報Ｎの用紙情報）」のように記載されている箇所は、未完成用紙情報Ｎの用紙情報に記憶されている用紙の情報をセットすることを意味し、以降も同様とする。
【００５７】
一方、Ｓ３００６でＣＰＵ９０１は、用紙情報−給紙段対応リストに給紙段（３）が登録されていると判断した場合、Ｓ３００８の処理に進む。Ｓ３００８でＣＰＵ９０１は、給紙段（４）（下カセット１１５）へのセットを促すための画面を表示するため、次のような処理を行う。即ち、ＣＰＵ９０１は、操作表示装置６００に「（未完成用紙情報Ｎの用紙情報）を給紙段（４）にセットしてください」を表示するためのデータをディスプレイデータにセットし、Ｓ３０１２の処理に進む。
【００５８】
Ｓ３００５でＣＰＵ９０１は、画像形成を行う予定ではなかった用紙であると判断した場合、Ｓ３００９の処理に進む。この場合、画像形成動作を行う必要がないため、画像形成装置１０内の給紙段ではなく、インサート装置３００内の給紙段を使用する。Ｓ３００９でＣＰＵ９０１は、用紙情報−給紙段対応リストに給紙段（２）（大容量給紙トレイ４３）が登録されていないか否かを判断する。Ｓ３００９でＣＰＵ９０１は、用紙情報−給紙段対応リストに給紙段（２）、即ち大容量給紙トレイ４３が登録されていないと判断した場合、Ｓ３０１０の処理に進む。Ｓ３０１０でＣＰＵ９０１は、給紙段（２）（大容量給紙トレイ４３）へのセットを促すための画面を表示するため、次のような処理を行う。即ち、ＣＰＵ９０１は、操作表示装置６００に「（未完成用紙情報Ｎの用紙情報）を給紙段（２）にセットしてください」を表示するためのデータをディスプレイデータにセットし、Ｓ３０１２の処理に進む。Ｓ３００９でＣＰＵ９０１は、用紙情報−給紙段対応リストに給紙段（２）が登録されていると判断した場合、Ｓ３０１１の処理に進む。Ｓ３０１１でＣＰＵ９０１は、給紙段（５）（大容量給紙トレイ４４）へのセットを促すための画面を表示するため、次のような処理を行う。即ち、ＣＰＵ９０１は、操作表示装置６００に「（未完成用紙情報Ｎの用紙情報）を給紙段（５）にセットしてください」を表示するためのデータをディスプレイデータにセットし、Ｓ３０１２の処理に進む。
【００５９】
Ｓ３０１２でＣＰＵ９０１は、ディスプレイデータにセットした給紙段と対応する未完成用紙情報Ｎの情報をＲＡＭ９０３内の用紙情報−給紙段対応リストに登録し、Ｓ３００２の処理に戻る。このように、ＣＰＵ９０１は、未完成用紙情報Ｎが無くなるまで上述した処理を繰り返す。Ｓ３００２でＣＰＵ９０１は、未完成用紙情報Ｎがないと判断した場合、即ち未完成用紙情報Ｎを全て参照したと判断した場合、Ｓ３０１３の処理に進む。Ｓ３０１３の処理に進んだとき、例えば図９に示すジョブの場合には、ＲＡＭ９０３の用紙情報−給紙段対応リストには、表１に示すような情報が格納されている。
【００６０】
【表１】
2015194611.tif 000003
【００６１】
Ｓ３０１３でＣＰＵ９０１は、ユーザに対してどの用紙をどの給紙段にセットするべきかを知らせるために、Ｓ３０１２でＲＡＭ９０３に登録した用紙情報−給紙段対応リストのディスプレイデータを、操作表示装置制御部９４１に送信する。この時点でのディスプレイデータは、未完成用紙情報Ｎの用紙情報の種類の数だけリストが登録され、それぞれに対応する給紙段も同時に登録されている。Ｓ３０１４でＣＰＵ９０１は、操作表示装置制御部９４１により、操作表示装置制御部９４１が受信したディスプレイデータの内容に基づいて操作表示装置６００に画面を表示する制御を行わせる。その結果、ディスプレイデータの内容に基づいて、操作表示装置６００には、図１１（ｃ）の画面が表示される。
【００６２】
（未完成のジョブを完成させるための制御）
図１３に未完成のジョブを完成させるための制御処理のフローチャートを示す。Ｓ２０００でＣＰＵ９０１は、操作表示装置６００に表示された図１１（ｃ）に示した未完成ジョブリストの設定に従って用紙がセットされ、Ｓ２００１で、スタートキー６０２が押下されたことに応じて未完成ジョブリストのジョブを開始する。これによりＣＰＵ９０１は、未完成束を完成束にするための動作を開始する。
【００６３】
Ｓ２００４でＣＰＵ９０１は、以下の制御処理で用いるＲＡＭ９０３の各種変数の初期化を行う。具体的には、ＣＰＵ９０１は、変数ＮについてはＲＡＭ９０３に記憶されている未完成用紙情報１の内容を参照するように設定する。また、ＣＰＵ９０１は、枚数Ｘを１（１枚目）、部数Ｙは未完成用紙情報１の部数情報として記憶されている値を設定する。例えば、上述した図９に示す例の場合、未完成用紙情報１の部数情報は２部目となっているため、この場合、ＣＰＵ９０１はＹ＝２と設定する。また、図１４に示す例の場合、未完成用紙情報１の部数情報は３部目となるため、この場合、ＣＰＵ９０１はＹ＝３と設定する。Ｓ２００５でＣＰＵ９０１は、Ｓ２００４で設定した変数と未完成用紙情報Ｎとの比較を行う。ここで、ＣＰＵ９０１は、未完成束に含まれていない用紙（以下、未完成の用紙という）、例えば図９の例では、表紙、裏表紙、及び画像形成が行われる記録シートが、用紙束に所定の順番で挿入されるように任意のタイミングで給紙させるように制御する。このため、ＣＰＵ９０１は、枚数Ｘと未完成用紙情報Ｎの枚数情報が一致するか否かを判断する。
【００６４】
そして、ＣＰＵ９０１は、枚数Ｘと未完成用紙情報Ｎの枚数情報が一致したと判断した場合、未完成用紙情報Ｎに記憶されている用紙の給紙を行うタイミングであると判断する。Ｓ２００５でＣＰＵ９０１は、枚数Ｘが未完成用紙情報Ｎの枚数情報の値と一致したと判断した場合、Ｓ２００６の処理に進む。Ｓ２００６でＣＰＵ９０１は、具体的にどの給紙段から給紙すべきかを判断するため、前述したＲＡＭ９０３に記憶した用紙情報−給紙段対応リストを参照し、未完成用紙情報Ｎの用紙情報に対応する給紙段を選択する。即ち、ＣＰＵ９０１は、Ｓ２００６で、ＲＡＭ９０３に記憶した未完成用紙情報Ｎの用紙情報と、用紙情報−給紙段対応リストに基づいて、用紙情報に対応する給紙段の情報を取得する。そして、取得した給紙段の情報に基づいて、Ｓ２００７、Ｓ２００８、Ｓ２０１９、Ｓ２０２１のいずれかの処理に進む。
【００６５】
Ｓ２００６でＣＰＵ９０１は、未完成用紙情報Ｎの用紙情報に対応する給紙段が上カセット１１４であると判断した場合、Ｓ２００７の処理に進む。Ｓ２００７でＣＰＵ９０１は、給紙段、即ち上カセット１１４に記録シートがあるか否かを判断し、記録シートがあると判断した場合にはＳ２０１０の処理に進む。Ｓ２０１０でＣＰＵ９０１は、未完成用紙情報Ｎの印字情報に記憶されている画像データＤに基づいて上カセット１１４から給紙された記録シートへの画像形成動作及びフィニッシャ５００への排出処理を行い、Ｓ２０１３の処理に進む。また、Ｓ２００６でＣＰＵ９０１は、未完成用紙情報Ｎの用紙情報に対応する給紙段が下カセット１１５であると判断した場合、Ｓ２０１９の処理に進む。Ｓ２０１９でＣＰＵ９０１は、給紙段、即ち下カセット１１５に記録シートがあるか否かを判断し、記録シートがあると判断した場合にはＳ２０２０の処理に進む。なお、Ｓ２０２０の処理はＳ２０１０の処理と同様であるため、説明を省略する。
【００６６】
Ｓ２００６でＣＰＵ９０１は、未完成用紙情報Ｎの用紙情報に対応する給紙段が大容量給紙トレイ４３であると判断した場合、Ｓ２００８の処理に進む。Ｓ２００８でＣＰＵ９０１は、給紙段、即ち大容量給紙トレイ４３にインサートシートがあるか否かを判断し、インサートシートがあると判断した場合にはＳ２０１１の処理に進む。Ｓ２０１１でＣＰＵ９０１は、インサート装置３００によるインサート動作を行い、Ｓ２０１３の処理に進む。Ｓ２００６でＣＰＵ９０１は、未完成用紙情報Ｎの用紙情報に対応する給紙段が大容量給紙トレイ４４であると判断した場合、Ｓ２０２１の処理に進む。Ｓ２０２１でＣＰＵ９０１は、給紙段、即ち大容量給紙トレイ４４にインサートシートがあるか否かを判断し、インサートシートがあると判断した場合にはＳ２０２２の処理に進む。なお、Ｓ２０２２の処理はＳ２０１１の処理と同様であるため、説明を省略する。
【００６７】
Ｓ２００５でＣＰＵ９０１は、枚数Ｘが未完成用紙情報Ｎに記憶された値と一致していないと判断した場合には、図１０で説明した通常時のジョブで既に用紙束に含まれている用紙（以下、完成している用紙ともいう）と判断し、Ｓ２００９の処理に進む。Ｓ２００９でＣＰＵ９０１は、未完成束が積載されている給紙段、即ち大容量給紙トレイ４２に用紙（即ち、未完成束）があるか否かを判断し、用紙があると判断した場合にはＳ２０１２の処理に進む。Ｓ２０１２でＣＰＵ９０１は、大容量給紙トレイ４２から、インサート装置３００によりインサート処理を行い、Ｓ２０１５の処理に進む。なお、ＣＰＵ９０１は、インサート処理を行う用紙束の順番が１枚目から順番に行われるようにする。
【００６８】
ここで、ＣＰＵ９０１は、図１０のＳ１００８〜Ｓ１０１２の処理で、給紙段に用紙がないと判断した場合には、Ｓ１０１６で未完成用紙情報ＮとしてＲＡＭ９０３に情報を登録する制御を行っている。一方、ＣＰＵ９０１は、未完成ジョブリストに対してジョブを行っている際に、図１３のＳ２００７〜Ｓ２００９、Ｓ２０１９、Ｓ２０２１で用紙がないと判断した場合には、Ｓ６０００以降の処理に進む。Ｓ６０００でＣＰＵ９０１は、未完成ジョブリストに対するジョブを中断し、Ｓ６００１で、用紙がないと判断した給紙段に対して、用紙を補充するように知らせる画面を、操作表示装置制御部９４１により操作表示装置６００に表示させる。Ｓ６００２でＣＰＵ９０１は、ユーザによって給紙段に用紙が補充され、上述した紙有無検知センサ４２ｃ、４３ｃ、４４ｃ等によって用紙が補充されたことを検知した場合に、Ｓ２００６の処理に戻る。即ち、ＣＰＵ９０１は、用紙がないと判断した給紙段に用紙が補充されると、未完成ジョブリストに対するジョブを再開する。
【００６９】
以上の処理で、未完成束に含まれていなかった用紙が所定の位置（頁）に挿入されたため、Ｓ２０１３でＣＰＵ９０１は、未完成束に挿入した用紙に対応する、未完成用紙情報ＮをＲＡＭ９０３から削除する。Ｓ２０１４でＣＰＵ９０１は、変数Ｎとして次の未完成用紙情報Ｎの内容を参照する。なお、ＣＰＵ９０１は、次の未完成用紙情報Ｎがない場合には参照しないこととする。Ｓ２０１５でＣＰＵ９０１は、所定の用紙をフィニッシャ５００に排出したタイミングで枚数Ｘをインクリメント（Ｘ＝Ｘ＋１）し、Ｓ２０１６で部終了紙か否かを判断する。Ｓ２０１６でＣＰＵ９０１は、部終了紙でないと判断した場合にはＳ２００５の処理に戻る。一方、Ｓ２０１６でＣＰＵ９０１は、部終了紙であると判断した場合はＳ２０１７で部数Ｙをインクリメント（Ｙ＝Ｙ＋１）し、Ｓ２０１８で、ＲＡＭ９０３の未完成用紙情報Ｎがないか否か、即ち全て削除されたか否かの判断を行う。Ｓ２０１８でＣＰＵ９０１は、ＲＡＭ９０３に未完成用紙情報Ｎがあると判断した場合、Ｓ２００５の処理に戻る。この場合、次の部にも未完成の箇所が存在するということになるため、ＣＰＵ９０１はＳ２００５に戻って、未完成ジョブリストに対するジョブを継続する。一方、Ｓ２０１８でＣＰＵ９０１は、ＲＡＭ９０３に未完成用紙情報Ｎがないと判断した場合、未完成ジョブリストに対するジョブを終了する。この場合、ＣＰＵ９０１は、未完成用紙情報Ｎに対応する用紙のインサート処理が全て完了し、更に、未完成束の不足していた個所に正しく用紙を挿入して、完成束として排出したと判断する。
【００７０】
ＣＰＵ９０１は、以上のような制御処理を行うことで、図１０に示す用紙束のインサート処理を基本動作とし、図１３に示す未完成用紙情報Ｎの内容をもとにした各給紙段からの給紙動作を行う。その結果、未完成束の不足したインサートシートのインサート処理、及び、画像形成できなかった記録シートに対しては、画像形成動作を行ってからのインサート処理を行うことが可能となる。最終的に、未完成束の不足している箇所に対して、不足していた用紙を挿入することが可能となる。これにより、これまで、ユーザが不足した用紙を未完成束の所定の箇所に手作業で挿入していた手間と時間を削減することができ、使い勝手の良い画像形成システムを提供できる。以上、本実施の形態によれば、シート束を形成する際のユーザビリティを向上させることができる。
【００７１】
［他の実施の形態］
・上述した実施の形態で説明した画像形成装置１０は、例えばカラーの画像形成装置でもよく、図１で説明した画像形成装置に限定されない。
・上述した実施の形態では、例えば図１４の場合、未完成束である３〜１００部目を給紙段（１）（大容量給紙トレイ４２）に積載して、未完成のジョブを完成させるための制御を行った。しかし、給紙段（１）（大容量給紙トレイ４２）に、完成束である１、２部目も含めて、１００部（全部数）を積載してもよい。この場合、図１３のＳ２００４でＣＰＵ９０１は、部数Ｙを１とし、Ｓ２００５では部数Ｙが変数Ｎの部数情報と等しく、且つ、枚数Ｘが変数Ｎの枚数情報と等しいか否かを判断するようにすればよい。
・また、上述した実施の形態の未完成のジョブを完成させるための制御では、未完成束からなる全部数の最上面が１部目の１枚目である前提で説明したが、最終部の最終枚目から給紙されるようにしてもよい。その場合、部数Ｙ、枚数Ｘの初期値を適宜変更し、変数をデクリメントする等、フローチャートの処理を適宜変更すればよい。
以上、他の実施の形態によっても、シート束を形成する際のユーザビリティを向上させることができる。
【符号の説明】
【００７２】
１０      画像形成装置
３００    インサート装置
５００    フィニッシャ
９０１    ＣＰＵ
９０３    ＲＡＭ
【図１】
2015194611.tif 000004
【図２】
2015194611.tif 000005
【図３】
2015194611.tif 000006
【図４】
2015194611.tif 000007
【図５】
2015194611.tif 000008
【図６】
2015194611.tif 000009
【図７】
2015194611.tif 000010
【図８】
2015194611.tif 000011
【図９】
2015194611.tif 000012
【図１０】
2015194611.tif 000013
【図１１】
2015194611.tif 000014
【図１２】
2015194611.tif 000015
【図１３】
2015194611.tif 000016
【図１４】
2015194611.tif 000017